(57)【要約】      （修正有）【課題】表示パネルの狭額縁化或いはタッチ検出精度の向上を可能とする表示装置を提供する。【解決手段】表示領域に形成された複数の画素電極と、複数の画素電極と対向する複数の駆動電極と、第１配線群及び第２配線群と、第１スイッチと、第１スイッチを制御するスキャナと、駆動電極と対向する検出電極と、検出モジュールとを備える。第１配線群及び第２配線群は、表示領域の外側の非表示領域に形成され、複数の画素電極に供給される映像信号を伝達する。第１スイッチは、複数の駆動電極のそれぞれに対して、画像表示のための所定電圧又は検出のための駆動信号を供給する。検出モジュールは、検出電極に接続される。このような構成において、第１配線群及び第２配線群はスペースを空けて配置され、スキャナの少なくとも一部が上記スペースに配置されている。【選択図】図５
2016224242.tif 000002
【特許請求の範囲】
【請求項１】
表示領域に形成された複数の画素電極と、
前記複数の画素電極と対向する複数の駆動電極と、
前記表示領域の外側の非表示領域に形成され、前記複数の画素電極に供給される映像信号を伝達する第１配線群及び第２配線群と、
前記複数の駆動電極のそれぞれに対して、画像表示のための所定電圧、又は、前記表示領域に接触或いは近接する物体を検出するための駆動信号、を供給する第１スイッチと、
前記第１スイッチを制御するスキャナと、
前記駆動電極と対向する検出電極と、
前記検出電極に接続された検出モジュールと、
を備え、
前記第１配線群及び前記第２配線群は、スペースを空けて配置され、
前記スキャナの少なくとも一部が前記第１配線群及び前記第２配線群の間の前記スペースに配置されている、
表示装置。
【請求項２】
前記スキャナは、第１部分と、第２部分とを含み、
前記第１部分が前記スペースに配置され、前記第２部分が前記第１配線群と前記表示装置の端部との間に配置されている、
請求項１に記載の表示装置。
【請求項３】
前記スキャナは、第１部分と、第２部分と、第３部分とを含み、
前記第１部分が前記スペースに配置され、前記第２部分が前記第１配線群と前記表示装置の第１端部との間に配置され、前記第３部分が前記第２配線群と前記表示装置の第２端部との間にそれぞれ配置されている、
請求項１に記載の表示装置。
【請求項４】
前記スキャナは、第１部分と、第２部分とを含み、
前記第１部分が前記スペースに配置され、前記第２部分が前記表示領域を挟んで前記第１部分の反対側に配置されている、
請求項１に記載の表示装置。
【請求項５】
前記駆動電極と前記所定電圧が供給される第１供給線とを接続又は遮断する第２スイッチをさらに備え、
前記第１スイッチは、前記表示領域の一方の側に配置され、
前記第２スイッチは、前記表示領域を挟んで前記第１スイッチと反対側に配置され、
前記第１部分は、前記第１スイッチを制御し、
前記第２部分は、前記第２スイッチを制御する、
請求項４に記載の表示装置。
【請求項６】
前記表示装置は、第１基板と、前記第１基板よりも外形が小さい第２基板と、前記第１基板及び前記第２基板の間に形成されたシール材と、前記シール材により前記第１基板及び前記第２基板の間に封入された液晶層と、を備え、
前記スキャナは、前記第１基板と前記第２基板とが対向する領域に配置されている、
請求項１に記載の表示装置。
【請求項７】
前記スキャナは、前記シール材の外周よりも前記液晶層側に設けられている、
請求項６に記載の表示装置。
【請求項８】
前記複数の駆動電極と、これら複数の駆動電極に接続された前記第１スイッチとを備え、
前記第１基板と前記第２基板とが対向しない非対向領域を有し、
前記複数の駆動電極の各々は、前記表示領域の前記非対向領域側の一辺と平行な第１方向に並ぶとともに、前記第１方向と交わる第２方向に延び、
前記第１スイッチは、前記一辺に沿って配置されている、
請求項６に記載の表示装置。
【請求項９】
複数の画素電極が形成された表示領域を有する表示パネルと、
前記複数の画素電極と対向する駆動電極と、
前記表示パネルに配置され、前記駆動電極の接続先を、画像表示のための所定電圧を供給する第１供給線と、前記表示領域に接触或いは近接する物体を検出するための駆動信号を供給する第２供給線との間で切り換える第１スイッチと、
前記表示領域を挟んで前記第１スイッチと反対側の領域において前記表示パネルに配置され、前記駆動電極と前記第１供給線とを接続又は遮断する第２スイッチと、
前記駆動電極と対向する検出電極と、
前記駆動電極に前記駆動信号が供給された際に前記検出電極から出力される検出信号に基づき前記表示領域に接触或いは近接する物体を検出する検出モジュールと、
を備える表示装置。
【請求項１０】
複数の前記駆動電極と、これら駆動電極に接続された複数の前記第１スイッチ及び複数の前記第２スイッチとを備え、
画像を表示する第１期間において、前記複数の第１スイッチが前記複数の駆動電極の各々と前記第１供給線とを接続するとともに、前記複数の第２スイッチが前記複数の駆動電極の各々と前記第１供給線とを接続し、
前記表示領域に接触或いは近接する物体を検出する第２期間において、前記複数の第１スイッチが駆動対象の前記駆動電極を前記第２供給線に接続し残りの前記駆動電極を前記第１供給線に接続するとともに、前記複数の第２スイッチが前記複数の駆動電極の各々と前記第１供給線とを遮断する、
請求項９に記載の表示装置。
【請求項１１】
複数の前記駆動電極と、これら駆動電極に接続された複数の前記第１スイッチ及び複数の前記第２スイッチとを備え、
画像を表示する第１期間において、前記複数の第１スイッチが前記複数の駆動電極の各々と前記第１供給線とを接続するとともに、前記複数の第２スイッチが前記複数の駆動電極の各々と前記第１供給線とを接続し、
前記表示領域に接触或いは近接する物体を検出する第２期間において、前記複数の第１スイッチが駆動対象の前記駆動電極を前記第２供給線に接続し残りの前記駆動電極を前記第１供給線に接続するとともに、前記複数の第２スイッチが前記駆動対象の駆動電極と前記第１供給線とを遮断し残りの前記駆動電極と前記第１供給線とを接続する、
請求項９に記載の表示装置。
【請求項１２】
前記表示パネルは、第１基板と、前記第１基板よりも外形が小さい第２基板と、前記第１基板及び前記第２基板の間に封入された液晶層とを備えるとともに、前記第１基板と前記第２基板とが対向しない非対向領域を有し、
前記第１スイッチは、前記非対向領域と前記表示領域との間に配置されている、
請求項９に記載の表示装置。
【請求項１３】
前記画素電極の各々と接続される信号線に映像信号を供給するドライバモジュールと、
前記信号線と前記ドライバモジュールとを接続又は遮断する第３スイッチと、
前記信号線と前記駆動電極とを接続又は遮断する第４スイッチと、
をさらに備え、
画像を表示する第１期間において、前記第３スイッチが前記信号線と前記ドライバモジュールとを接続するとともに、前記第４スイッチが前記信号線と前記駆動電極とを遮断し、
前記表示領域に接触或いは近接する物体を検出する第２期間において、前記第３スイッチが前記信号線と前記ドライバモジュールとを遮断するとともに、前記第４スイッチが前記信号線と前記駆動電極とを接続する、
請求項９に記載の表示装置。
【請求項１４】
前記第２供給線は、第１電圧が印加された低電圧線と、前記第１電圧よりも高い第２電圧が印加された高電圧線と、を含み、
前記第１スイッチは、前記駆動電極の接続先を前記低電圧線及び前記高電圧線の間で交互に切り換えることで、前記第１電圧及び前記第２電圧の間で変動する前記駆動信号を生成する、
請求項１３に記載の表示装置。
【請求項１５】
前記表示パネルは、第１基板と、前記第１基板よりも外形が小さい第２基板と、前記第１基板及び前記第２基板の間に封入された液晶層とを備えるとともに、前記第１基板と前記第２基板とが対向しない非対向領域を有し、
前記第３スイッチは、前記非対向領域と前記表示領域との間に配置され、
前記低電圧線及び前記高電圧線は、前記第３スイッチと前記非対向領域との間を通る、
請求項１４に記載の表示装置。
【請求項１６】
前記ドライバモジュールは、前記非対向領域に配置され、
前記第１スイッチは、前記第３スイッチと前記ドライバモジュールとの間に配置されている、
請求項１５に記載の表示装置。
【請求項１７】
複数の画素電極が形成された表示領域と、非表示領域とを有する表示装置であって、
前記表示領域には、前記複数の画素電極と対向する駆動電極と、前記駆動電極と対向する検出電極と、が設けられ、
前記非表示領域には、共通電圧が供給される第１供給線と前記駆動電極とを接続する第１スイッチと、第１駆動電圧が供給される第２供給線と前記駆動電極とを接続する第２スイッチと、前記第１駆動電圧よりも高い第２駆動電圧が供給される第３供給線と前記駆動電極とを接続する第３スイッチと、前記第２スイッチを制御する第１制御線と、前記第３スイッチを制御する第２制御線と、前記検出電極に接続された検出配線と、が設けられ、
前記第２スイッチと前記第３スイッチとは、前記検出配線と前記表示領域との間に配置されている、
表示装置。
【請求項１８】
前記第２スイッチと前記第３スイッチとを制御するスキャナを備え、
前記検出配線は、前記スキャナと前記第１スイッチとの間を通る、
請求項１７に記載の表示装置。
【請求項１９】
前記第１制御線と前記第２制御線とは、前記検出配線と交差している、
請求項１７又は１８に記載の表示装置。
【請求項２０】
前記第１制御線に供給される制御信号は、前記第２制御線に供給される制御信号とは逆相である、
請求項１７乃至１９のうちいずれか１項に記載の表示装置。
【発明の詳細な説明】
【技術分野】
【０００１】
本発明の実施形態は、表示装置に関する。
【背景技術】
【０００２】
近年、表示領域に接触或いは近接する指などを検出するタッチ検出機能を備えた表示装置が種々の電子機器に用いられている。この種の表示装置としては、例えば特許文献１に開示された液晶表示装置のように、表示領域に設けられた駆動電極と画素電極との間に表示用の電圧を印加して表示領域に画像を表示するとともに、この駆動電極との間に静電容量を形成する検出電極からの検出信号に基づいて表示領域に近接する物体の位置を検出するものが知られている。
【０００３】
特許文献１に開示された液晶表示装置においては、外部接続用の端子が設けられた表示パネルの端子領域からその反対側の反端子領域に向かう方向に複数の駆動電極が並び、かつこの方向と交わる方向に各駆動電極が延びている。
一方で、駆動電極の態様としては、例えば各駆動電極が端子領域から反端子領域に向かう方向に延び、かつこの方向と交わる方向に並ぶ構成も採用し得る。この場合においては、画像表示やタッチ検出のための周辺回路及び配線が特許文献１のような駆動電極の態様を採用する場合とは異なることとなる。したがって、表示領域の周囲のいわゆる額縁領域を狭める狭額縁化の観点や、タッチ検出時に検出電極から出力される検出信号へのカップリングノイズの混入によるタッチ検出精度の低下防止の観点などから、回路配置に関する新たな工夫が必要となる。
【先行技術文献】
【特許文献】
【０００４】
【特許文献１】特開２０１４−１４９８１６号公報
【発明の概要】
【発明が解決しようとする課題】
【０００５】
実施形態の一態様における目的は、タッチ検出機能を備えた表示装置において、表示パネルの狭額縁化を可能とすること、或いは、タッチ検出精度の向上を可能とすることである。
【課題を解決するための手段】
【０００６】
一実施形態に係る表示装置は、複数の画素電極と、複数の駆動電極と、第１配線群及び第２配線群と、第１スイッチと、スキャナと、検出電極と、検出モジュールとを備える。上記画素電極は、表示領域に形成されている。上記複数の駆動電極は、上記複数の画素電極と対向する。上記第１配線群及び第２配線群は、上記表示領域の外側の非表示領域に形成され、上記複数の画素電極に供給される映像信号を伝達する。上記第１スイッチは、上記複数の駆動電極のそれぞれに対して、画像表示のための所定電圧、又は、上記表示領域に接触或いは近接する物体を検出するための駆動信号、を供給する。上記スキャナは、上記第１スイッチを制御する。上記検出電極は、上記駆動電極と対向する。上記検出モジュールは、上記検出電極に接続されている。このような構成において、上記第１配線群及び上記第２配線群はスペースを空けて配置され、上記スキャナの少なくとも一部が上記第１配線群及び上記第２配線群の間の上記スペースに配置されている。
【図面の簡単な説明】
【０００７】
【図１】図１は、第１実施形態に係る表示装置の概略的な構成を示す平面図である。
【図２】図２は、第１実施形態に係る表示装置の断面の一例を模式的に示す図である。
【図３】図３は、表示領域に接触或いは近接する物体を検出する原理の一例を示す図である。
【図４】図４は、第１実施形態に係る表示装置において、画像表示に関わる概略的な等価回路を示す図である。
【図５】図５は、第１実施形態に係る表示装置において、画像表示及びタッチ検出に必要な要素等を概略的に示す図である。
【図６】図６は、第１実施形態に係る表示装置が備える各スイッチ群の表示期間における状態を示す図である。
【図７】図７は、第１実施形態に係る表示装置が備える各スイッチ群のタッチ検出期間における状態を示す図である。
【図８】図８は、第１実施形態に係る表示装置が備えるスキャナの概略的な構成の一例を示す図である。
【図９】図９は、第１実施形態に係る表示装置が備える各スイッチ群の具体的な配置例を示す図である。
【図１０】図１０は、第１実施形態に係る表示装置が備える検出配線、スキャナ、及び第１スイッチ群等の関係を概略的に示す図である。
【図１１】図１１は、第１実施形態に係る表示装置が備える第１スイッチの周囲の構造を概略的に示す図である。
【図１２】図１２は、第２実施形態に係る表示装置において、画像表示及びタッチ検出に必要な要素等を概略的に示す図である。
【図１３】図１３は、第３実施形態に係る表示装置において、画像表示及びタッチ検出に必要な要素等を概略的に示す図である。
【図１４】図１４は、第３実施形態に係る表示装置が備える各スイッチ群のタッチ検出期間における状態を示す図である。
【図１５】図１５は、第４実施形態に係る表示装置が備える各スイッチ群の具体的な配置例を示す図である。
【発明を実施するための形態】
【０００８】
いくつかの実施形態につき、図面を参照しながら説明する。  
なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を省略することがある。
【０００９】
各実施形態においては、表示装置の一例として、液晶表示素子を用いた表示パネルを備える表示装置を開示する。ただし、各実施形態は、液晶表示素子以外の表示素子を用いた表示装置に対する、各実施形態にて開示される個々の技術的思想の適用を妨げるものではない。液晶表示素子以外の表示素子としては、有機エレクトロルミネッセンス表示素子等を有する自発光型の表示パネル、或いは電気泳動素子等を有する電子ペーパ型の表示パネルなどが想定される。
【００１０】
（第１実施形態）  
図１は、第１実施形態に係る表示装置１の概略的な構成を示す平面図である。表示装置１は、例えば、スマートフォン、タブレット端末、携帯電話端末、パーソナルコンピュータ、テレビ受像装置、車載装置、ゲーム機器等の種々の装置に用いることができる。
【００１１】
表示装置１は、表示パネル２と、複数の駆動電極ＴＸ（ＴＸ１〜ＴＸｎ）と、各駆動電極ＴＸと対向する複数の検出電極ＲＸ（ＲＸ１〜ＲＸｍ）と、ドライバモジュールとして機能するドライバＩＣ３と、検出モジュールとして機能するタッチ検出ＩＣ４とを備えている。ｎ及びｍは、例えば２以上の整数である。駆動電極は、共通電極と呼ばれる場合もある。
【００１２】
表示パネル２は、矩形状のアレイ基板ＡＲ（第１基板）と、このアレイ基板ＡＲよりも外形が小さい矩形状の対向基板ＣＴ（第２基板）とを備えている。図１の例において、アレイ基板ＡＲ及び対向基板ＣＴは、３辺を重ねて貼り合わされている。アレイ基板ＡＲは、対向基板ＣＴと対向しない端子領域ＮＡ（非対向領域）を有している。
【００１３】
アレイ基板ＡＲ及び対向基板ＣＴが対向する領域において、表示パネル２は、画像を表示する表示領域（アクティブエリア）ＤＡと、表示領域ＤＡと表示パネル２の端部との間の周辺領域ＦＡとを有している。図１の例において、表示領域ＤＡは、端子領域ＮＡ側の第１辺Ｅ１と、第１辺Ｅ１の反対側の第２辺Ｅ２と、第１辺Ｅ１及び第２辺Ｅ２を繋ぐ第３辺Ｅ３及び第４辺Ｅ４とを有した長方形状である。以下の説明においては、第１辺Ｅ１及び第２辺Ｅ２と平行な方向を第１方向Ｘと呼び、第３辺Ｅ３及び第４辺Ｅ４と平行な方向を第２方向Ｙと呼ぶ。本実施形態においては、第１方向Ｘ及び第２方向Ｙが垂直に交わるが、第１方向Ｘ及び第２方向Ｙは他の角度で交わっても良い。
【００１４】
表示領域ＤＡにおいて、駆動電極ＴＸ１〜ＴＸｎは、第１辺Ｅ１から第２辺Ｅ２に至るまで第２方向Ｙに延びるとともに第１方向Ｘに並んでいる。駆動電極ＴＸ１〜ＴＸｎは、例えばインジウム・ティン・オキサイド（ＩＴＯ）などの透明導電膜で形成することができる。駆動電極ＴＸ１〜ＴＸｎは、例えば表示パネル２の内部、つまり、アレイ基板ＡＲに形成されている。
【００１５】
表示領域ＤＡにおいて、検出電極ＲＸ１〜ＲＸｍは、第３辺Ｅ３から第４辺Ｅ４に至るまで第１方向Ｘに延びるとともに第２方向Ｙに並んでいる。検出電極ＲＸ１〜ＲＸｍは、ＩＴＯなどの透明導電膜や、金属線を用いた導電パターンによって形成することができる。検出電極ＲＸ１〜ＲＸｍは、例えば対向基板ＣＴのアレイ基板ＡＲと対向する面とは反対側の表面に形成されている。
【００１６】
ドライバＩＣ３は、画像表示に関する制御を実行するものであり、端子領域ＮＡに実装されている。ドライバＩＣは、ＣＯＧ（Chip On Glass）方式により実装されているが、第１フレキシブル配線基板６に実装されたものであっても良い。
端子領域ＮＡには、実装端子５が形成されている。実装端子５には、画像データを表示パネル２に供給する第１フレキシブル配線基板６が接続されている。
【００１７】
端子領域ＮＡに沿う対向基板ＣＴの端部には、実装端子７が形成されている。実装端子７には、検出電極ＲＸ１〜ＲＸｍからの検出信号を出力する第２フレキシブル配線基板８が接続されている。図１の例において、タッチ検出ＩＣ４は、第２フレキシブル配線基板８に実装されている。
【００１８】
検出電極ＲＸ１〜ＲＸｍは、例えば周辺領域ＦＡにおいて対向基板ＣＴの表面に形成された検出配線ＤＬを介して実装端子７と接続されている。図１の例において、表示領域ＤＡの第２辺Ｅ２側から奇数番目の検出電極ＲＸと実装端子７とを接続する検出配線ＤＬは、表示領域ＤＡの第３辺Ｅ３と対向基板ＣＴの端部（図中左側の端部）との間に引き回され、これら奇数番目の検出電極ＲＸに接続されている。一方、表示領域ＤＡの第２辺Ｅ２側から偶数番目の検出電極ＲＸと実装端子７とを接続する検出配線ＤＬは、表示領域ＤＡの第１辺Ｅ１と対向基板ＣＴの端子領域ＮＡ側の端部との間、及び、表示領域ＤＡの第４辺Ｅ４と対向基板ＣＴの端部（図中右側の端部）との間に引き回され、これら偶数番目の検出電極ＲＸに接続されている。
【００１９】
図２は、表示領域ＤＡにおける表示装置１の断面の一例を模式的に示す図である。この図に示す断面は、１つの副画素ＳＰＸに着目したものである。それぞれ異なる色に対応する複数の副画素ＳＰＸにより、カラー画像を表示するための１つの画素が形成される。
【００２０】
図２の例において、アレイ基板ＡＲは、第１絶縁基板１０と、第１絶縁層１１と、第２絶縁層１２と、第１配向膜１３と、画素電極ＰＥと、駆動電極ＴＸとを備えている。第１絶縁層１１は、第１絶縁基板１０の対向基板ＣＴ側の面に形成されている。駆動電極ＴＸは、第１絶縁層１１の上に形成されている。第２絶縁層１２は、駆動電極ＴＸを覆っている。画素電極ＰＥは、副画素ＳＰＸごとに設けられ、第２絶縁層１２の上に形成されている。例えば画素電極ＰＥは、１又は複数のスリットＳＬを有している。第１配向膜１３は、画素電極ＰＥ及び第２絶縁層１２の一部を覆っている。
【００２１】
対向基板ＣＴは、第２絶縁基板２０と、遮光層２１と、カラーフィルタ２２と、オーバーコート層２３と、第２配向膜２４とを備えている。遮光層２１は、第２絶縁基板２０のアレイ基板ＡＲ側の面に形成され、副画素ＳＰＸを区画している。カラーフィルタ２２は、第２絶縁基板２０のアレイ基板ＡＲ側の面に形成され、副画素ＳＰＸに対応する色に着色されている。オーバーコート層２３は、カラーフィルタ２２を覆っている。第２配向膜２４は、オーバーコート層２３を覆っている。
【００２２】
第１配向膜１３と第２配向膜２４との間には、液晶分子を含む液晶層ＬＣが形成されている。例えば、検出電極ＲＸは、第２絶縁基板２０のアレイ基板ＡＲと対向しない側の面に形成されている。なお、図２の例においては駆動電極ＴＸがアレイ基板ＡＲに形成されているが、駆動電極ＴＸは対向基板ＣＴに形成されても良い。その他、表示パネル２の内部構造はここに示したものに限られず、種々の構造を適用することができる。
【００２３】
続いて、駆動電極ＴＸ及び検出電極ＲＸにより表示領域ＤＡに接触或いは近接する物体を検出する原理の一例につき、図３を用いて説明する。  
互いに対向する駆動電極ＴＸと検出電極ＲＸとの間には、容量Ｃｃが存在する。駆動電極ＴＸに駆動信号Ｓｔｘが供給されると、容量Ｃｃを介して検出電極ＲＸに電流が流れるため、検出電極ＲＸから検出信号Ｓｒｘが得られる。駆動信号Ｓｔｘは例えば矩形パルスであり、検出信号Ｓｒｘは駆動信号Ｓｔｘに対応した電圧の矩形パルスである。
【００２４】
表示装置１にユーザの指などの導体である物体Ｏが近づくと、物体Ｏに近接する検出電極ＲＸと物体Ｏとの間に容量Ｃｘが生じる。駆動電極ＴＸに駆動信号Ｓｔｘが供給されたとき、物体Ｏに近接する検出電極ＲＸから得られる検出信号Ｓｒｘの波形は、容量Ｃｘの影響を受けて変化する。すなわち、各検出電極ＲＸから得られる検出信号Ｓｒｘに基づけば、タッチ検出ＩＣ４は、表示装置１に接触或いは近接する物体Ｏを検出することができる。また、各駆動電極ＴＸに駆動信号Ｓｔｘを時分割で順次供給した際に各時相にて各検出電極ＲＸから得られる検出信号Ｓｒｘに基づけば、タッチ検出ＩＣ４は、物体Ｏの第１方向Ｘ及び第２方向Ｙにおける位置を検出することができる。以上説明した方式は、相互容量方式、又は、ミューチャル検出方式などと呼ばれる。
【００２５】
次に、表示装置１による画像表示について説明する。図４は、画像表示に関わる概略的な等価回路を示す図である。表示装置１は、複数の走査線Ｇと、これら走査線Ｇに交差する複数の信号線Ｓと、第１ゲートドライバＧＤ１と、第２ゲートドライバＧＤ２と、セレクタ（ＲＧＢスイッチ）ＳＤとを備えている。セレクタＳＤは、複数のビデオ線ＶＬを介してドライバＩＣ３と接続されている。
【００２６】
各走査線Ｇは、表示領域ＤＡにおいて第１方向Ｘに延びるとともに第２方向Ｙに並んでいる。各信号線Ｓは、表示領域ＤＡにおいて第２方向Ｙに延びるとともに第１方向Ｘに並んでいる。各走査線Ｇ及び各信号線Ｓは、アレイ基板ＡＲに形成されている。各走査線Ｇは、第１ゲートドライバＧＤ１及び第２ゲートドライバＧＤ２に接続されている。各信号線Ｓは、セレクタＳＤに接続されている。
【００２７】
図４の例においては、各走査線Ｇ及び各信号線Ｓによって区画された領域が１つの副画素ＳＰＸに相当する。例えば、本実施形態においては、赤色に対応する副画素ＳＰＸＲと、緑色に対応する副画素ＳＰＸＧと、青色に対応する副画素ＳＰＸＢとで１つの画素ＰＸが構成される。画素ＰＸは、白色に対応する副画素ＳＰＸなどをさらに備えても良い。
【００２８】
各副画素ＳＰＸは、アレイ基板ＡＲに形成された薄膜トランジスタＴＦＴ（スイッチング素子）を備えている。薄膜トランジスタＴＦＴは、走査線Ｇ、信号線Ｓ、及び画素電極ＰＥと電気的に接続されている。表示に際して、駆動電極ＴＸは共通電位に設定され、いわゆる共通電極として機能する。
【００２９】
第１ゲートドライバＧＤ１及び第２ゲートドライバＧＤ２は、各走査線Ｇに対して走査信号を順次供給する。セレクタＳＤは、ドライバＩＣ３に制御されて、各信号線Ｓに対して映像信号を選択的に供給する。ある薄膜トランジスタＴＦＴに接続された走査線Ｇに走査信号が供給され、かつこの薄膜トランジスタＴＦＴに接続された信号線Ｓに映像信号が供給される。この映像信号に応じた電圧が画素電極ＰＥに印加され、画素電極ＰＥと駆動電極ＴＸとの間に生じる電界によって液晶層ＬＣの液晶分子の配向が電圧の印加されていない初期配向状態から変化する。このような動作により、表示領域ＤＡに画像が表示される。
【００３０】
以上説明したように、本実施形態に係る表示装置１は、駆動電極ＴＸを画像表示及びタッチ検出の双方に利用する。以下、このような機能を実現するために必要な構成について説明する。
図５は、表示装置１において、駆動電極ＴＸを利用した画像表示及びタッチ検出に必要な要素等を概略的に示す図である。この図に示す表示装置１は、既述の要素に加えて、第１スイッチ群Ｇ１と、第２スイッチ群Ｇ２と、第３スイッチ群Ｇ３と、第４スイッチ群Ｇ４と、第５スイッチ群Ｇ５と、スキャナＳＣと、第１供給線３０と、第２供給線４０とを備えている。第３スイッチ群Ｇ３は、例えばセレクタＳＤに含まれるもので、マルチプレクサと呼ばれることもある。
【００３１】
例えば、各スイッチ群Ｇ１〜Ｇ５、スキャナＳＣ、及び各ゲートドライバＧＤ１，ＤＧ２は、いずれもアレイ基板ＡＲと対向基板ＣＴとが対向する領域において、表示パネル２に形成されている。これらの要素は、例えばアレイ基板ＡＲを形成する図４に示した薄膜トランジスタＴＦＴなどを形成する工程において、アレイ基板ＡＲに形成することができる。
【００３２】
図５の例において、第１スイッチ群Ｇ１、セレクタＳＤ（第３スイッチ群Ｇ３）、第４スイッチ群Ｇ４、及びスキャナＳＣは、表示領域ＤＡの第１辺Ｅ１と端子領域ＮＡ側の対向基板ＣＴの端部との間に配置されている。第１ゲートドライバＧＤ１は、表示領域ＤＡの第３辺Ｅ３と表示パネル２の端部（図中左側の端部）との間に配置されている。第２ゲートドライバＧＤ２は、表示領域ＤＡの第４辺Ｅ４と表示パネル２の端部（図中右側の端部）との間に配置されている。第２スイッチ群Ｇ２及び第５スイッチ群Ｇ５は、表示領域ＤＡの第２辺Ｅ２と表示パネル２の端部（図中上側の端部）との間に配置されている。
【００３３】
第１供給線３０には、画像表示のための共通電圧ＶCOMが印加されている。第１供給線３０は、端子領域ＮＡの、ドライバＩＣ３の両側から第１スイッチ群Ｇ１に向けて延びている。さらに、第１供給線３０は途中で分岐し、第１ゲートドライバＧＤ１と表示領域ＤＡとの間、及び、第２ゲートドライバＧＤ２と表示領域ＤＡとの間を通って第２スイッチ群Ｇ２に接続されている。なお、第１供給線３０は、第１ゲートドライバＧＤ１と表示パネル２の端部との間、及び、第２ゲートドライバＧＤ２と表示パネル２の端部との間を通って第２スイッチ群Ｇ２に接続されても良い。
【００３４】
第２供給線４０は、タッチ検出のための駆動信号（上述の駆動信号Ｓｔｘ）を供給する。本実施形態において、第２供給線４０は、第１電圧ＶTPL（第１駆動電圧）が印加された低電圧線４１と、第１電圧ＶTPLよりも高い第２電圧ＶTPH（第２駆動電圧）が印加された高電圧線４２とを含んでいる。低電圧線４１及び高電圧線４２は、端子領域ＮＡのドライバＩＣ３の両側から第１スイッチ群Ｇ１に向けて延びている。
【００３５】
例えば、第１供給線３０、低電圧線４１、及び高電圧線４２は、実装端子５と第１フレキシブル配線基板６とを介してタッチ検出ＩＣ４に接続されている。第１供給線３０、低電圧線４１、及び高電圧線４２は、ドライバＩＣ３に接続されても良い。第１スイッチ群Ｇ１は、駆動電極ＴＸ１〜ＴＸｎの接続先を、第１供給線３０と第２供給線４０（低電圧線４１又は高電圧線４２）との間で切り替える。
【００３６】
セレクタＳＤ及びドライバＩＣ３は、第１配線群ＬＧ１と、第２配線群ＬＧ２とで接続されている。各配線群ＬＧ１，ＬＧ２は、いずれも複数のビデオ線ＶＬによって構成され、ドライバＩＣ３から表示領域ＤＡに形成された信号線Ｓを介して各副画素ＳＰＸの画素電極ＰＥに供給される映像信号を伝達する。図５の例において、各配線群ＬＧ１，ＬＧ２は、第１方向Ｘにスペースを空けて配置されている。
【００３７】
セレクタＳＤである第３スイッチ群Ｇ３は、ドライバＩＣ３から供給される映像信号を、表示領域ＤＡに形成された複数の信号線Ｓに分配する。これにより、ビデオ線ＶＬの数を減らすことができる。一方で、画素の高精細化に伴い、ドライバＩＣは、多数のメモリや論理回路を備える必要があるため、小型化に限界がある。そのため、ドライバＩＣ３の第１方向Ｘにおける幅に対して、ドライバＩＣ３とセレクタＳＤとを繋ぐ配線群の第１方向Ｘにおける幅は小さくなり得る。そこで、本実施形態においては、ドライバＩＣ３とセレクタＳＤとを繋ぐ配線群を第１配線群ＬＧ１と第２配線群ＬＧ２とに分割している。
【００３８】
スキャナＳＣは、ドライバＩＣ３から供給されるスタート信号（start）、クロック信号（clock）、及びイネーブル信号（enable）に基づいて第１スイッチ群Ｇ１を制御する。本実施形態において、スキャナＳＣは、その全てが第１配線群ＬＧ１と第２配線群ＬＧ２との間のスペースに配置されている。スキャナＳＣと第１スイッチ群Ｇ１とを繋ぐ複数の制御線ＣＬ、第１配線群ＬＧ１、及び第２配線群ＬＧ２は、いずれもアレイ基板ＡＲに形成されている。例えば、制御線ＣＬは、各配線群ＬＧ１，ＬＧ２よりも対向基板ＣＴ側の層に形成されている。
【００３９】
アレイ基板ＡＲ及び対向基板ＣＴは、表示領域ＤＡを囲うシール材９によって貼り合わされている。このシール材９は、所定の幅を持って形成されている。シール材９により、液晶層ＬＣがアレイ基板ＡＲ及び対向基板ＣＴの間に封入される。図５の例においては、スキャナＳＣ、各スイッチ群Ｇ１〜Ｇ５、及び各ゲートドライバＧＤ１，ＧＤ２がシール材９の外側の端部よりも内側に位置している。但し、スキャナＳＣは、その一部或いは全部がシール材９の外側の端部よりも外側に形成されても良い。
【００４０】
図６及び図７を用いて、本実施形態における各スイッチ群Ｇ１〜Ｇ５の動作について説明する。図６は画像を表示する表示期間（第１期間）における各スイッチ群Ｇ１〜Ｇ５の状態を示し、図７は表示領域ＤＡに接触或いは近接する物体を検出するタッチ検出期間（第２期間）における各スイッチ群Ｇ１〜Ｇ５の状態を示す。表示期間及びタッチ検出期間は、例えば交互に繰り返される。
【００４１】
図６及び図７に示すように、第１スイッチ群Ｇ１は、駆動電極ＴＸ１〜ＴＸｎの各々に対して設けられた複数の第１スイッチＳＷ１を備えている。第１スイッチＳＷ１は、駆動電極ＴＸの接続先を第１供給線３０と第２供給線４０（低電圧線４１又は高電圧線４２）との間で切り換える。具体的には、第１スイッチＳＷ１は、駆動電極ＴＸと第１供給線３０とを接続（オン）又は遮断（オフ）する共通電圧スイッチＳＷＣと、駆動電極ＴＸと低電圧線４１とを接続（オン）又は遮断（オフ）する低電圧スイッチＳＷＬと、駆動電極ＴＸと高電圧線４２とを接続（オン）又は遮断（オフ）する高電圧スイッチＳＷＨとを含んでいる。共通電圧スイッチＳＷＣ、低電圧スイッチＳＷＬ、及び高電圧スイッチＳＷＨは、いずれもスキャナＳＣからの信号によりオンオフされる。
【００４２】
第２スイッチ群Ｇ２は、駆動電極ＴＸ１〜ＴＸｎの各々に対して設けられた複数の第２スイッチＳＷ２を備えている。第２スイッチＳＷ２は、駆動電極ＴＸと第１供給線３０とを接続（オン）又は遮断（オフ）する。例えば、第２スイッチＳＷ２は、ドライバＩＣ３の制御の下でオンオフされる。
【００４３】
セレクタＳＤである第３スイッチ群Ｇ３は、表示領域ＤＡに設けられた複数の信号線Ｓの各々に対して設けられた複数の第３スイッチＳＷ３を備えている。第３スイッチＳＷ３は、ドライバＩＣ３から延出するビデオ線ＶＬの一端に設けられており、表示領域ＤＡの各信号線ＳとドライバＩＣ３とを接続（オン）又は遮断（オフ）する。例えば、第３スイッチＳＷ３は、ドライバＩＣ３から供給される制御信号に基づき、ドライバＩＣ３からビデオ線ＶＬを介して時分割で供給される映像信号を各信号線Ｓに順次供給するようにオンオフされる。
【００４４】
第４スイッチ群Ｇ４は、信号線Ｓに対して設けられた複数の第４スイッチＳＷ４を備えている。第４スイッチＳＷ４は、信号線Ｓと駆動電極ＴＸとを接続（オン）又は遮断（オフ）する。例えば、第４スイッチＳＷ４は、ドライバＩＣ３又はスキャナＳＣから供給される制御信号に基づきオンオフされる。
【００４５】
第５スイッチ群Ｇ５は、信号線Ｓに対して設けられた複数の第５スイッチＳＷ５を備えている。第５スイッチＳＷ５は、信号線Ｓと駆動電極ＴＸとを接続（オン）又は遮断（オフ）する。例えば、第５スイッチＳＷ５は、ドライバＩＣ３又はスキャナＳＣから供給される制御信号に基づきオンオフされる。
【００４６】
各第１スイッチＳＷ１、各第３スイッチＳＷ３、及び各第４スイッチＳＷ４は、図１等に示した表示領域ＤＡの第１辺Ｅ１と端子領域ＮＡとの間において、第１辺Ｅ１に沿って第１方向Ｘに並んでいる。各第２スイッチＳＷ２及び各第５スイッチＳＷ５は、図１等に示した表示領域ＤＡの第２辺Ｅ２に沿って第１方向Ｘに並んでいる。
第１供給線３０の一部、低電圧線４１、及び高電圧線４２は、第３スイッチ群Ｇ３と端子領域ＮＡとの間を通っている。第１スイッチ群Ｇ１は、第３スイッチ群Ｇ３とドライバＩＣ３との間に配置されている。
【００４７】
図６に示すように、表示期間においては、各第１スイッチＳＷ１の共通電圧スイッチＳＷＣがオンされ、各第１スイッチＳＷ１の低電圧スイッチＳＷＬ及び高電圧スイッチＳＷＨがオフされる。さらに、各第２スイッチＳＷ２がオンされ、各第４スイッチＳＷ４及び各第５スイッチＳＷ５がオフされる。各第３スイッチＳＷ３は、各ビデオ線ＶＬから供給される映像信号の供給先となる信号線Ｓに応じて、選択的にオンオフされる。
【００４８】
各共通電圧スイッチＳＷＣがオンされることにより、駆動電極ＴＸ１〜ＴＸｎには、端子領域ＮＡの側の端部から共通電圧ＶCOMが供給される。さらに、各第２スイッチＳＷ２がオンされることにより、駆動電極ＴＸ１〜ＴＸｎには、端子領域ＮＡの反対側の端部から共通電圧ＶCOMが供給される。このように駆動電極ＴＸの延出方向（第２方向Ｙ）の両端部から共通電圧ＶCOMを供給することで、駆動電極ＴＸの電位を全体に亘って安定させることができる。
【００４９】
表示期間においては、ドライバＩＣ３から各信号線Ｓに映像信号が供給されるとともに、第１ゲートドライバＧＤ１及び第２ゲートドライバＧＤ２から各走査線Ｇに走査信号が供給されて、各副画素ＳＰＸの画素電極ＰＥと駆動電極ＴＸとの間に画像表示に必要な電界が形成される。共通電圧がドライバＩＣ３にて生成され、ドライバＩＣ３から供給される構成であってもよい。
【００５０】
タッチ検出期間においては、例えば、駆動電極ＴＸ１〜ＴＸｎに駆動信号が順次供給される。駆動信号の供給対象（以下、駆動対象という）の駆動電極ＴＸと残りの駆動電極ＴＸとで第１スイッチＳＷ１の接続態様が異なる。
図７の例においては、駆動電極ＴＸ２が駆動対象である場合を想定している。駆動対象である駆動電極ＴＸ２の共通電圧スイッチＳＷＣはオフされ、残りの駆動電極ＴＸの共通電圧スイッチＳＷＣはいずれもオンされている。各第２スイッチＳＷ２及び各第３スイッチＳＷ３は全てオフされ、各第４スイッチＳＷ４及び各第５スイッチＳＷ５は全てオンされている。
【００５１】
駆動対象である駆動電極ＴＸ２の接続先は、低電圧線４１及び高電圧線４２でスウィングされる。すなわち、駆動電極ＴＸ２の低電圧スイッチＳＷＬ及び高電圧スイッチＳＷＨが交互にオンオフされ、これにより第１電圧ＶTPLと第２電圧ＶTPHとの間でトグルする駆動信号Ｓｔｘが生成されて、この駆動信号Ｓｔｘが駆動電極ＴＸ２に供給される。この駆動信号Ｓｔｘに対して検出電極ＲＸ１〜ＲＸｍから得られる検出信号（上述の検出信号Ｓｒｘ）に基づき、タッチ検出ＩＣ４が表示領域ＤＡに接触或いは近接する物体の位置を検出する。
【００５２】
各第４スイッチＳＷ４及び各第５スイッチＳＷ５がオンされているので、各信号線Ｓは、それぞれに対向する駆動電極ＴＸと同電位となる。これにより、各信号線Ｓと各駆動電極ＴＸとの間の容量形成を防ぎ、タッチ検出の精度を高めることができる。本実施形態では、駆動電極ＴＸ及び信号線Ｓの延出方向（第２方向Ｙ）の両端部において駆動電極ＴＸと信号線Ｓとを接続するので、駆動電極ＴＸ及び信号線Ｓを全体に亘り安定して同電位とすることができる。
【００５３】
タッチ検出期間において、ドライバＩＣ３と第３スイッチ群Ｇ３との間の各ビデオ線ＶＬはいずれもフローティングとなり、各ビデオ線ＶＬに起因した不要な容量形成が軽減される。なお、タッチ検出期間において、全て或いは一部の第４スイッチＳＷ４と第５スイッチＳＷ５とをオフとし、これにより全て或いは一部の信号線Ｓをフローティングとしても良い。
【００５４】
駆動対象の駆動電極ＴＸは、駆動電極ＴＸ１から駆動電極ＴＸｎに向けて順番に選定されても良いし、他の順に選定されても良い。また、複数の駆動電極ＴＸが同時に駆動対象として選定されても良い。さらに、１回のタッチ検出期間において駆動電極ＴＸ１〜ＴＸｎが１通り駆動対象として選定されるようにしても良いし、２回以上のタッチ検出期間に分散して駆動電極ＴＸ１〜ＴＸｎが駆動対象として選定されるようにしても良い。
【００５５】
ここで、スキャナＳＣの構成について説明する。図８は、スキャナＳＣの概略的な構成の一例を示す図であり、図７の場合と同じくタッチ検出期間において駆動電極ＴＸ２が駆動対象である場合を想定している。
スキャナＳＣは、駆動電極ＴＸ１〜ＴＸｎの各々に対して１つずつ設けられたシフトレジスタＳＲ（ＳＲ１〜ＳＲｎ）を備えている。シフトレジスタＳＲは、ドライバＩＣ３から供給されるスタート信号（start）、クロック信号（clock）、及びイネーブル信号（enable）に基づいて動作する。
【００５６】
シフトレジスタＳＲは、第１制御線ＣＬ１を介して共通電圧スイッチＳＷＣと接続され、第２制御線ＣＬ２を介して低電圧スイッチＳＷＬと接続され、第３制御線ＣＬ３を介して高電圧スイッチＳＷＨと接続されている。
シフトレジスタＳＲは、共通電圧スイッチＳＷＣをオンオフするための制御信号ＯＵＴ１を第１制御線ＣＬ１に出力し、低電圧スイッチＳＷＬをオンオフするための制御信号ＯＵＴ２を第２制御線ＣＬ２に出力し、高電圧スイッチＳＷＨをオンオフするための制御信号ＯＵＴ３を第３制御線ＣＬ３に出力する。
【００５７】
駆動対象の駆動電極ＴＸに対応する低電圧スイッチＳＷＬ及び高電圧スイッチＳＷＨを交互にオンオフするために、この駆動電極ＴＸに対応するシフトレジスタＳＲの制御信号ＯＵＴ２，ＯＵＴ３は互いに逆位相となる。
【００５８】
続いて、各スイッチ群Ｇ１〜Ｇ５の具体的な配置例について説明する。図９は、１つの駆動電極ＴＸの一部と、この駆動電極ＴＸの近傍に配置される各スイッチＳＷ１〜ＳＷ５等とを模式的に示す図である。この図において、各スイッチＳＷ１〜ＳＷ５は、タッチ検出期間であって図示した駆動電極ＴＸが駆動対象とはなっておらず共通電圧ＶCOMが供給される状態を示している。
図９の例において、透明導電膜で形成される駆動電極ＴＸは、端子領域ＮＡ側（図中下側）に突出した複数の第１突出部５１と、端子領域ＮＡの反対側（図中上側）に突出した複数の第２突出部５２とを有している。例えば、第１突出部５１は、低電圧線４１及び高電圧線４２の間まで延びている。
【００５９】
第１スイッチＳＷ１を構成する共通電圧スイッチＳＷＣ、低電圧スイッチＳＷＬ、及び高電圧スイッチＳＷＨは、第１供給線３０、低電圧線４１、及び高電圧線４２の近傍において、これら各線と第１突出部５１とをそれぞれ接続又は遮断する。第２スイッチＳＷ２は、第２突出部５２と端子領域ＮＡの反対側（図中上側）に引き回された第１供給線３０とを接続又は遮断する。
【００６０】
図９には、８本のビデオ線ＶＬ（ＶＬ１〜ＶＬ８）を示している。これらビデオ線ＶＬの各々は駆動電極ＴＸ側の端部近傍で３経路に分岐し、分岐した各径路にそれぞれ第３スイッチＳＷ３が接続されている。
表示領域ＤＡの信号線Ｓは、赤色の副画素ＳＰＸＲに映像信号を供給する信号線Ｓｒ（Ｓｒ１〜Ｓｒ８）と、緑色の副画素ＳＰＸＧに映像信号を供給する信号線Ｓｇ（Ｓｇ１〜Ｓｇ８）と、青色の副画素ＳＰＸＢに映像信号を供給する信号線Ｓｂ（Ｓｂ１〜Ｓｂ８）とを含んでいる。信号線Ｓｒ、信号線Ｓｇ、及び信号線Ｓｂは、例えばこの順で繰り返し配置されている。分岐した１本のビデオ線ＶＬに接続された３つの第３スイッチＳＷ３は、信号線Ｓｒ、信号線Ｓｇ、及び信号線Ｓｂにそれぞれ接続されている。
【００６１】
図９の例においては、順に並ぶ信号線Ｓｒ１，Ｓｇ１，Ｓｂ１，Ｓｒ２，Ｓｇ２，Ｓｂ２のうち、信号線Ｓｒ１，Ｓｇ２，Ｓｂ１とビデオ線ＶＬ１に接続された３つの第３スイッチＳＷ３とがそれぞれ接続されるとともに、信号線Ｓｒ２，Ｓｇ１，Ｓｂ２とビデオ線ＶＬ２に接続された３つの第３スイッチＳＷ３とがそれぞれ接続されている。信号線Ｓｒ３，Ｓｇ３，Ｓｂ３，Ｓｒ４，Ｓｇ４，Ｓｂ４とビデオ線ＶＬ３，ＶＬ４、信号線Ｓｒ５，Ｓｇ５，Ｓｂ５，Ｓｒ６，Ｓｇ６，Ｓｂ６とビデオ線ＶＬ５，ＶＬ６、信号線Ｓｒ７，Ｓｇ７，Ｓｂ７，Ｓｒ８，Ｓｇ８，Ｓｂ８とビデオ線ＶＬ７，ＶＬ８の接続態様も同様である。このような接続態様において、隣り合うビデオ線ＶＬに供給する映像信号の極性を正負逆にすれば、表示領域ＤＡの全体に亘って、隣り合う信号線Ｓの極性をそれぞれ反転させることができる。なお、１本のビデオ線ＶＬが第３スイッチＳＷ３を介して３本の信号線Ｓに接続されているが、２本以下、或いは４本以上の信号線Ｓに接続されても良い。また、白色や他の色を表示する副画素ＳＰＸを別に設けても良い。また、画素配列を異ならせた場合、信号線Ｓや第３スイッチＳＷ３の配列も異なる場合があるが、そのような場合であっても、本願発明を適用することが可能である。
【００６２】
第１供給線３０、低電圧線４１、及び高電圧線４２は、各第３スイッチＳＷ３と図中下側に位置する端子領域ＮＡとの間を通っているために、第１供給線３０、低電圧線４１、及び高電圧線４２と交差するビデオ線ＶＬの数は信号線Ｓの数の１／３となる。このように、第１供給線３０、低電圧線４１、及び高電圧線４２と交差する配線の数を低減することにより、第１スイッチＳＷ１を構成する各スイッチＳＷＣ，ＳＷＬ，ＳＷＨの配置スペースが大きく確保される。したがって、各スイッチＳＷＣ，ＳＷＬ，ＳＷＨのサイズを大きくして第１スイッチＳＷ１を低抵抗化することができる。さらに、図９の例においては、隣り合う第１突出部５１の間に密集してビデオ線ＶＬ１〜ＶＬ８を通すことにより、第１スイッチＳＷ１を形成するためのスペースをより大きく確保している。なお、１つの駆動電極ＴＸに対して突出部を１つだけ設ける構成であってもよい。また、駆動電極ＴＸで全ての第５スイッチＳＷ５を覆う構成であっても良い。
【００６３】
図９の例のように、１つの駆動電極ＴＸに対して複数の第１スイッチＳＷ１を設ける場合には、これら第１スイッチＳＷ１を１つのシフトレジスタＳＲが制御する構成を採用することができる。この場合、例えば図８に示した各制御線ＣＬ１〜ＣＬ３を途中で複数経路に分岐させたり、各制御線を延在させて、１つの駆動電極ＴＸに対応する複数の第１スイッチＳＷ１の共通電圧スイッチＳＷＣ、低電圧スイッチＳＷＬ、及び高電圧スイッチＳＷＨに接続すれば良い。
【００６４】
第４スイッチＳＷ４及び第５スイッチＳＷ５は、各信号線Ｓにそれぞれ設けられている。これにより、各信号線Ｓと駆動電極ＴＸとの接続又は遮断を信号線Ｓごと、或いは複数の信号線Ｓごとに制御可能となり、隣り合う駆動電極ＴＸの境界と信号線Ｓとの関係に設計上の制約が発生しない。また、第４スイッチＳＷ４が第３スイッチＳＷ３よりも表示領域ＤＡ側に配置されているために、タッチ検出期間において第３スイッチＳＷ３をオフすることで、ビデオ線ＶＬと信号線Ｓとを完全に切り離すことができる。
【００６５】
続いて、図１に示した検出配線ＤＬと、スキャナＳＣ及び第１スイッチ群Ｇ１との関係について説明する。  
図１０は、検出配線ＤＬ、スキャナＳＣ、及び第１スイッチ群Ｇ１等の関係を概略的に示す図である。実装端子７から延出した複数の検出配線ＤＬの束は、周辺領域ＦＡにおいて、表示領域ＤＡの第３辺Ｅ３側及び第４辺Ｅ４側にそれぞれ引き回され、検出電極ＲＸに接続されている。第１辺Ｅ１側に引き回される検出配線ＤＬは、スキャナＳＣと第１スイッチ群Ｇ１との間を通る。すなわち、第１スイッチＳＷ１は、検出配線ＤＬと表示領域ＤＡとの間に配置されている。
【００６６】
図１１は、表示領域ＤＡの第４辺Ｅ４側の最端に配置された第１スイッチＳＷ１の周囲の構造を概略的に示す図である。この第１スイッチＳＷ１は、駆動電極ＴＸｎの第１突出部５１と、第１供給線３０、低電圧線４１、及び高電圧線４２とを選択的に接続する共通電圧スイッチＳＷＣ、低電圧スイッチＳＷＬ、及び高電圧スイッチＳＷＨを備えており、スキャナＳＣ内のシフトレジスタＳＲｎによって制御される。
【００６７】
図１１の例において、第１供給線３０、低電圧線４１、及び高電圧線４２は、第４辺Ｅ４側に引き回された５本の検出配線ＤＬ（ＤＬ１〜ＤＬ５）と表示領域ＤＡとの間で第１辺Ｅ１と平行に延びている。また、共通電圧スイッチＳＷＣ、低電圧スイッチＳＷＬ、及び高電圧スイッチＳＷＨは、いずれも検出配線ＤＬ１〜ＤＬ５と表示領域ＤＡとの間に位置している。このような配置であれば、図示したように、駆動電極ＴＸｎと検出配線ＤＬ１〜ＤＬ５とが交差しない構成を採用することができる。
【００６８】
シフトレジスタＳＲｎと第１スイッチＳＷ１とを繋ぐ第１制御線ＣＬ１、第２制御線ＣＬ２、及び第３制御線ＣＬ３は、検出配線ＤＬ１〜ＤＬ５と交差している。
具体的には、図１１の例において、シフトレジスタＳＲｎから延出した第１制御線ＣＬ１は検出配線ＤＬ１と交差した後に屈曲し、検出配線ＤＬ２と対向した状態で検出配線ＤＬ２の延出方向と平行に延び、表示領域ＤＡ側に屈曲して検出配線ＤＬ３〜ＤＬ５と交差し、共通電圧スイッチＳＷＣに接続されている。
【００６９】
また、シフトレジスタＳＲｎから延出した第２制御線ＣＬ２及び第３制御線ＣＬ３は、検出配線ＤＬ１，ＤＬ２と交差した後に屈曲し、検出配線ＤＬ３と対向した状態で検出配線ＤＬ３の延出方向と平行に延び、表示領域ＤＡ側に屈曲して検出配線ＤＬ４，ＤＬ５と交差し、低電圧スイッチＳＷＬ及び高電圧スイッチＳＷＨにそれぞれ接続されている。
【００７０】
タッチ検出期間において、共通電圧スイッチＳＷＣは駆動電極ＴＸｎが駆動対象である場合にオフされ、他の場合にはオンされている。したがって、第１制御線ＣＬ１に供給される制御信号ＯＵＴ１の電圧は比較的安定しており、第１制御線ＣＬ１から検出配線ＤＬ１〜ＤＬ５にはノイズが混入し難い。
【００７１】
一方で、低電圧スイッチＳＷＬ及び高電圧スイッチＳＷＨは、駆動電極ＴＸｎが駆動対象である場合には交互にオンオフされる。したがって、第２制御線ＣＬ２及び第３制御線ＣＬ３に供給される制御信号ＯＵＴ２，ＯＵＴ３の電圧が高頻度で変化し、検出配線ＤＬ１〜ＤＬ５にカップリングノイズが混入し易い。このノイズの混入は、第２制御線ＣＬ２及び第３制御線ＣＬ３と検出配線ＤＬとが長距離に亘って対向する場合に顕著となり得る。
【００７２】
この点に関し、図１１の例においては、第２制御線ＣＬ２が検出配線ＤＬ３と長距離に亘って対向しているものの、第３制御線ＣＬ３も検出配線ＤＬ３と長距離に亘って対向している。低電圧スイッチＳＷＬ及び高電圧スイッチＳＷＨは交互にオンオフされるため、制御信号ＯＵＴ２，ＯＵＴ３は互いに逆相となる。したがって、第２制御線ＣＬ２及び第３制御線ＣＬ３から検出配線ＤＬに混入し得るノイズがキャンセルされ、結果としてタッチ検出の精度を高めることができる。
【００７３】
なお、ここではシフトレジスタＳＲｎ、駆動電極ＴＸｎ、及び駆動電極ＴＸｎに接続された１つの第１スイッチＳＷ１に着目したが、他のシフトレジスタＳＲ、他の駆動電極ＴＸ、及びこの駆動電極ＴＸに接続される他の第１スイッチＳＷ１の関係や、これらと検出配線ＤＬとの関係も同様である。
【００７４】
以上説明した本実施形態においては、図５に示したように、スキャナＳＣが第１配線群ＬＧ１と第２配線群ＬＧ２との間の通常ならばデッドスペースとなり得る位置に配置されていることから、表示パネル２に必要な額縁領域（周辺領域ＦＡ及び端子領域ＮＡ）を広げる必要がない。
【００７５】
また、本実施形態においては、図６等に示したように、各駆動電極ＴＸに対して端子領域ＮＡ側に第１スイッチＳＷ１が設けられ、端子領域ＮＡの反対側に第２スイッチＳＷ２が設けられている。これらスイッチＳＷ１，ＳＷ２により、各駆動電極ＴＸに対しては延出方向（第２方向Ｙ）の両端部から共通電圧ＶCOMを供給することができるので、各駆動電極ＴＸの電位を全体に亘って安定させることができる。
【００７６】
また、本実施形態においては、図１１等に示したように、第１スイッチＳＷ１が検出配線ＤＬと表示領域ＤＡとの間に配置されている。したがって、駆動電極ＴＸと検出配線ＤＬとが交差しない構成を採用することが可能となり、駆動電極ＴＸと検出配線ＤＬとのカップリングに起因した検出信号Ｓｒｘへのノイズ混入を防いでタッチ検出精度を高めることができる。  
以上説明した他にも、本実施形態からは種々の好適な作用を得ることができる。
【００７７】
（第２実施形態）  
第２実施形態について説明する。本実施形態は、スキャナＳＣの配置態様において第１実施形態と相違する。以下の説明においては主に第１実施形態との相違点に着目し、同一の構成については同一の符号を付して説明を省略することがある。
【００７８】
図１２は、第２実施形態に係る表示装置１において、駆動電極ＴＸを利用した画像表示及びタッチ検出に必要な要素等を概略的に示す図である。本実施形態では、スキャナＳＣが第１部分ＳＣ１と、第２部分ＳＣ２と、第３部分ＳＣ３とを備えている。
第１部分ＳＣ１、第２部分ＳＣ２、及び第３部分ＳＣ３は、１又は複数のシフトレジスタＳＲを含んでいる。例えば、第２部分ＳＣ２に含まれるシフトレジスタＳＲは、第１スイッチ群Ｇ１を構成する第１スイッチＳＷ１のうち第３辺Ｅ３側に配置された第１スイッチＳＷ１を制御する。第３部分ＳＣ３に含まれるシフトレジスタＳＲは、第１スイッチ群Ｇ１を構成する第１スイッチＳＷ１のうち第４辺Ｅ４側に配置された第１スイッチＳＷ１を制御する。第１部分ＳＣ１は、残りの第１スイッチＳＷ１、すなわち第１スイッチ群Ｇ１を構成する第１スイッチＳＷ１のうち中心寄りに配置された第１スイッチＳＷ１を制御する。
【００７９】
第１部分ＳＣ１は、第１実施形態におけるスキャナＳＣと同じく、第１配線群ＬＧ１と第２配線群ＬＧ２との間のスペースに配置されている。第２部分ＳＣ２は、第１配線群ＬＧ１と表示パネル２の第１端部ＥＤ１（図中左側の端部）との間に配置されている。第３部分ＳＣ３は、第２配線群ＬＧ２と表示パネル２の第２端部ＥＤ２（図中右側の端部）との間に配置されている。
【００８０】
第１部分ＳＣ１、第２部分ＳＣ２、及び第３部分ＳＣ３は、第１スイッチ群Ｇ１と端子領域ＮＡ側の対向基板ＣＴの端部との間に配置されている。図示した例において、第１部分ＳＣ１、第２部分ＳＣ２、及び第３部分ＳＣ３は、シール材９と対向している。但し、第１部分ＳＣ１、第２部分ＳＣ２、及び第３部分ＳＣ３の少なくとも一部は、シール材９と対向しないようにシール材９の内側に形成されても良いし、シール材９の外側に形成されても良い。
【００８１】
本実施形態のように、スキャナＳＣを複数の部分に分割して配置すれば、例えば第１配線群ＬＧ１及び第２配線群ＬＧ２の間のスペースにスキャナＳＣの全てを配置することができない場合であっても、スキャナＳＣの少なくとも一部を当該スペースに配置することにより当該スペースを有効活用できる。
【００８２】
なお、第２部分ＳＣ２及び第３部分ＳＣ３の少なくとも一方は、例えばドライバＩＣ３よりもアレイ基板ＡＲの端部（図１２中の下側の端部）側に配置されても良い。また、スキャナＳＣは、第１部分ＳＣ１及び第２部分ＳＣ２によって構成され、第３部分ＳＣ３を含まないものであっても良い。この場合において、第２部分ＳＣ２は、図１２における第３部分ＳＣ３の位置に配置されても良い。また、スキャナＳＣは、第１〜第３部分ＳＣ１〜ＳＣ３の３つではなく、より多くの部分に分割されても良い。
【００８３】
（第３実施形態）  
第３実施形態について説明する。本実施形態は、スキャナＳＣの配置態様において第１実施形態と相違する。以下の説明においては主に第１実施形態との相違点に着目し、同一の構成については同一の符号を付して説明を省略することがある。
【００８４】
図１３は、第３実施形態に係る表示装置１において、駆動電極ＴＸを利用した画像表示及びタッチ検出に必要な要素等を概略的に示す図である。本実施形態では、スキャナＳＣが第１部分ＳＣ１と、第２部分ＳＣ２とを備えている。
第１部分ＳＣ１及び第２部分ＳＣ２は、例えば、駆動電極ＴＸ１〜ＴＸｎと同数のシフトレジスタＳＲを含んでいる。第１部分ＳＣ１に含まれるシフトレジスタＳＲは、第１実施形態と同じく、第１スイッチ群Ｇ１を構成する各第１スイッチＳＷ１を個別に制御する。第２部分ＳＣ２に含まれるシフトレジスタＳＲは、第２スイッチ群Ｇ２に含まれる各第２スイッチＳＷ２を個別に制御する。
【００８５】
第１部分ＳＣ１及び第２部分ＳＣ２には、ドライバＩＣ３からスタート信号（start）、クロック信号（clock）、及びイネーブル信号（enable）がそれぞれ供給される。第２部分ＳＣ２はこれら３系統の信号によって制御されるため、第２部分ＳＣ２を設けたことによる周辺領域ＦＡにおける配線スペースの増分は軽微である。この増分は、例えば１０μｍ以下に抑えることができる。
【００８６】
第１部分ＳＣ１は、第１実施形態におけるスキャナＳＣと同じく、第１配線群ＬＧ１と第２配線群ＬＧ２との間のスペースに配置されている。第２部分ＳＣ２は、第２スイッチ群Ｇ２と表示パネル２の端部（図中上側の端部）との間に配置されている。
また、第１部分ＳＣ１は第１スイッチ群Ｇ１と端子領域ＮＡ側の対向基板ＣＴの端部との間に位置している。図示した例において、第１部分ＳＣ１及び第２部分ＳＣ２は、シール材９と対向している。但し、第１部分ＳＣ１及び第２部分ＳＣ２の少なくとも一方は、シール材９と対向しないようにシール材９の内側に形成されても良いし、シール材９の外側に形成されても良い。
【００８７】
本実施形態における各スイッチ群Ｇ１〜Ｇ５の動作について説明する。図１４は、タッチ検出期間（第２期間）における各スイッチ群Ｇ１〜Ｇ５の状態を示す。表示期間における各スイッチ群Ｇ１〜Ｇ５の状態は図６に示したものと同様である。
本実施形態では、タッチ検出期間において、スキャナＳＣの第２部分ＳＣ２により駆動対象の駆動電極ＴＸの第２スイッチＳＷ２がオフされ、残りの駆動電極ＴＸの第２スイッチＳＷ２がオンされる点で、第１実施形態と相違する。図１４の例においては、駆動電極ＴＸ２が駆動対象であり、この駆動電極ＴＸ２に接続された第２スイッチＳＷ２がオフされ、残りの駆動電極ＴＸの第２スイッチＳＷ２がオンされている。
【００８８】
先の図４に示した走査線Ｇの各々は、駆動電極ＴＸ１〜ＴＸｎと交差している。したがって、駆動対象の駆動電極ＴＸから各走査線Ｇを経て、駆動対象でない駆動電極ＴＸにカップリングノイズが混入し得る。本実施形態では、タッチ検出期間において駆動対象でない駆動電極ＴＸにその延出方向の両端部から共通電圧ＶCOMが供給される。したがって、駆動対象でない駆動電極ＴＸは共通電圧ＶCOMで安定し、上記の走査線Ｇを介したノイズなどの影響を受け難い。これにより、タッチ検出の精度を高めることができる。
【００８９】
（第４実施形態）  
第４実施形態について説明する。本実施形態は、第４スイッチＳＷ４の配置態様において第１実施形態と相違する。以下の説明においては主に第１実施形態との相違点に着目し、同一の構成については同一の符号を付して説明を省略することがある。
【００９０】
図１５は、１つの駆動電極ＴＸの一部と、この駆動電極ＴＸの近傍に配置される各スイッチＳＷ１〜ＳＷ５等とを模式的に示す図である。この図において、各スイッチＳＷ１〜ＳＷ５は、タッチ検出期間であって図示した駆動電極ＴＸに共通電圧ＶCOMが供給される状態を示している。
【００９１】
図１５の例において、駆動電極ＴＸは、端子領域ＮＡ側（図中下側）に突出した複数の第１突出部５１と、端子領域ＮＡの反対側（図中上側）に突出した複数の第２突出部５２と、各第１突出部５１の先端を繋ぐ接続部分５３とを有している。例えば、第１突出部５１は、高電圧線４２よりも端子領域ＮＡ側まで延びている。例えば、接続部分５３は、高電圧線４２よりも端子領域ＮＡ側に配置され、高電圧線４２と平行に延びている。
【００９２】
本実施形態において、第４スイッチＳＷ４は、高電圧線４２よりも端子領域ＮＡ側に配置され、ビデオ線ＶＬと接続部分５３とを接続又は遮断する。タッチ検出期間において、これら第４スイッチＳＷ４は、いずれもオンされている。さらに、本実施形態では、タッチ検出期間において、各第３スイッチＳＷ３がいずれもオンされている。したがって、タッチ検出期間においては信号線Ｓだけでなくビデオ線ＶＬも第４スイッチＳＷ４を介して接続された駆動電極ＴＸと同電位となる。
【００９３】
先の図９に示した構成においては、信号線Ｓと同数の第４スイッチＳＷ４を配置する必要がある。これに対し、図１５に示した構成であれば、第４スイッチＳＷ２４、第３スイッチＳＷ３との接続のために分岐される前のビデオ線ＶＬの本数分だけ配置すれば良い。すなわち、本実施形態によれば、第４スイッチＳＷ４の数を大幅に減らすことができる。
【００９４】
以上、本発明のいくつかの実施形態を説明したが、これらの実施形態は例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９５】
各実施形態においては、第１スイッチＳＷ１及び第２スイッチＳＷ２により、駆動電極ＴＸに対して駆動電極ＴＸの延出方向における両端部から共通電圧ＶCOMを供給可能な構成を開示した。しかしながら、第２スイッチＳＷ２を設けずに、第１スイッチＳＷ１側の端部のみから共通電圧ＶCOMが供給される構成としても良い。
【００９６】
また、各実施形態においては、第４スイッチＳＷ４及び第５スイッチＳＷ５により、駆動電極ＴＸ及び信号線Ｓを上記延出方向における両端部で接続可能な構成を開示した。しかしながら、第５スイッチＳＷ５を設けずに、第４スイッチＳＷ４側の端部のみで駆動電極ＴＸ及び信号線Ｓが接続される構成としても良い。更には、第４スイッチＳＷ４と第５スイッチＳＷ５とを設けない構成とすることも可能である。
【００９７】
各実施形態においては、第２供給線４０が低電圧線４１及び高電圧線４２を含み、第１スイッチＳＷ１が駆動電極ＴＸと低電圧線４１及び高電圧線４２とをそれぞれ接続する低電圧スイッチＳＷＬ及び高電圧スイッチＳＷＨを備える構成を開示した。低電圧線４１及び高電圧線４２は、固定電位が供給されるためにノイズ源となる可能性が低い。しかしながら、第２供給線４０の１本の配線で第１電圧ＶTPL及び第２電圧ＶTPHとの間で電位が変動する信号を供給し、第１スイッチＳＷ１がこの第２供給線４０と第１供給線３０とを切り換えて駆動電極ＴＸに接続するスイッチを備える構成としても良い。
【符号の説明】
【００９８】
１…表示装置、２…表示パネル、３…ドライバＩＣ、４…タッチ検出ＩＣ、ＴＸ…駆動電極、ＲＸ…検出電極、ＤＬ…検出配線、Ｓ…信号線、ＶＬ…ビデオ線、ＳＷ１…第１スイッチ、ＳＷ２…第２スイッチ、ＳＷ３…第３スイッチ、ＳＷ４…第４スイッチ、ＳＷ５…第５スイッチ、ＳＣ…スキャナ、ＳＲ…シフトレジスタ、ＬＧ１…第１配線群、ＬＧ２…第２配線群。
【図１】
2016224242.tif 000003
【図２】
2016224242.tif 000004
【図３】
2016224242.tif 000005
【図４】
2016224242.tif 000006
【図５】
2016224242.tif 000007
【図６】
2016224242.tif 000008
【図７】
2016224242.tif 000009
【図８】
2016224242.tif 000010
【図９】
2016224242.tif 000011
【図１０】
2016224242.tif 000012
【図１１】
2016224242.tif 000013
【図１２】
2016224242.tif 000014
【図１３】
2016224242.tif 000015
【図１４】
2016224242.tif 000016
【図１５】
2016224242.tif 000017